(57)【要約】      （修正有）【課題】太陽や蛍光灯下において外光反射を防止したコントラストの高い表示装置を提供する。【解決手段】表示装置１００は表示パネル１Ａとバックライト２とを備える。前記表示パネルは、第１の基板１０と、第２の基板２０と、前記第１および第２の基板に挟持される液晶層３０と、前記第１の基板の観測者側に配置される第１の円偏光板４０と、第２の基板と前記バックライトとの間に配置される第２の円偏光板５０と、前記第２の円偏光板の観測者側に配置される散乱フィルム６０と、を備える。【選択図】図４
2016062017.tif 000002
【特許請求の範囲】
【請求項１】
表示装置は、
表示パネルと、
バックライトと、
を備え、
前記表示パネルは、
第１の基板と、
第２の基板と、
前記第１および第２の基板に挟持される液晶層と、
前記第１の基板の観測者側に配置される第１の円偏光板と、
前記第２の基板と前記バックライトとの間に配置される第２の円偏光板と、
前記第１の円偏光板の観測者側に配置される散乱フィルムと、
を備える。
【請求項２】
請求項１の表示装置において、
前記バックライトは集光バックライトである。
【請求項３】
請求項１の表示装置において、
前記散乱フィルムは正面の光を散乱透過し、ある角度以上で入射する光を直線透過するようにされる。
【請求項４】
請求項３の表示装置において、
前記散乱フィルムを直線透過する光は８０度以上で入射する光である。
【請求項５】
請求項３の表示装置において、
前記散乱フィルムを直線透過する光は６０度以上で入射する光である。
【請求項６】
請求項１の表示装置において、
前記散乱フィルムはホログラムまたは構造体で構成される。
【請求項７】
請求項３の表示装置において、
前記散乱フィルムは方位角方向に散乱強度の異方性を有する。
【請求項８】
請求項１の表示装置において、
第１および第２の円偏光板は広帯域円偏光板である。
【請求項９】
請求項８の表示装置において、
前記広帯域円偏光板は直線偏光板と１／２波長板と１／４波長板を組み合わせたものである。
【請求項１０】
請求項１の表示装置において、
前記第１の円偏光板は前記第２の円偏光板よりも広視野角である。
【請求項１１】
表示装置は、
表示パネルと、
バックライトと、
を備え、
前記表示パネルは、
第１の基板と、
第２の基板と、
前記第１および第２の基板に挟持される液晶層と、
前記第１の基板の観測者側に配置される第１の偏光板と、
前記第２の基板と前記バックライトとの間に配置される第２の偏光板と、
前記第１の偏光板の観測者側に配置される散乱フィルムと、
を備え、
前記第１の偏光板は第１の直線偏光板と第１の１／４波長板とで構成され、前記第１の直線偏光板の光軸と前記第１の１／４波長板の光軸とのなす角度は略４５度であり、
前記第２の偏光板は第２の直線偏光板と第２の１／４波長板とで構成され、前記第２の直線偏光板の光軸と前記第２の１／４波長板の光軸とのなす角度は略−４５度である。
【請求項１２】
請求項１１の表示装置において、
前記バックライトは集光バックライトである。
【請求項１３】
請求項１１の表示装置において、
前記散乱フィルムは正面方向から所定の角度未満で入射する光を散乱透過し、前記所定の角度以上で入射する光を直線透過するようにされる。
【請求項１４】
請求項１３の表示装置において、
前記所定の角度は８０度である。
【請求項１５】
請求項１４の表示装置において、
前記所定の角度は６０度である。
【請求項１６】
請求項１１の表示装置において、
前記散乱フィルムはホログラムまたは構造体で構成される。
【請求項１７】
請求項１１の表示装置において、
前記散乱フィルムは方位角方向に散乱強度の異方性を有する。
【請求項１８】
請求項１１の表示装置において、
前記第１の偏光板は前記第１の直線偏光板と前記第１の１／４波長板との間に第１の１／２波長板を備え、
前記第２の偏光板は前記第２の直線偏光板と前記第２の１／４波長板との間に第２の１／２波長板を備える。
【発明の詳細な説明】
【技術分野】
【０００１】
本開示は表示装置に関し、例えば散乱フィルムを用いた表示装置に適用可能である。
【背景技術】
【０００２】
例えば、特開平６−２３０３５６号公報（特許文献１）には、以下のことが記載されている。
「拡散フィルムによる視角特性の拡大を図ると共に、解像度の向上を図った液晶表示装置を提供する。」「２枚の透明基板２ａ、２ｂのあいだに液晶層３が挟持され、その両面に偏光板４ａ、４ｂが配設され、前面の偏光板４ａの表面にさらに拡散フィルム５が設けられ、前面側の前記透明基板２ａが0.1〜0.3mmの厚さに形成される。」
【先行技術文献】
【特許文献】
【０００３】
【特許文献１】特開平６−２３０３５６号公報
【発明の概要】
【発明が解決しようとする課題】
【０００４】
本願発明者は散乱フィルム（拡散フィルム）を用いた表示装置について検討したところ、以下の問題があることが判明した。
すなわち、散乱フィルムを用いた表示装置に太陽や蛍光灯下おいて外光を入射して観測してみたところ表示装置全体が白く浮いてしまう。
その他の課題と新規な特徴は、本開示の記述および添付図面から明らかになるであろう。
【課題を解決するための手段】
【０００５】
本開示のうち、代表的なものの概要を簡単に説明すれば、下記のとおりである。
すなわち、表示装置は表示パネルとバックライトとを備える。前記表示パネルは、第１の基板と、第２の基板と、前記第１および第２の基板に挟持される液晶層と、前記第１の基板の観測者側に配置される第１の円偏光板と、第２の基板と前記バックライトとの間に配置される第２の円偏光板と、前記第２の円偏光板の観測者側に配置される散乱フィルムと、を備える。
【図面の簡単な説明】
【０００６】
【図１】比較例１に係る表示装置を説明するための断面図である。
【図２】比較例１に係る表示装置の課題を説明するための模式図である。
【図３】比較例２に係る表示装置を説明するための断面図である。
【図４】実施の形態に係る表示装置を説明するための断面図である。
【図５】実施の形態に係る表示装置の円偏光板を説明するための断面図である。
【図６】右回転円偏光板を説明するための模式図である。
【図７】左回転円偏光板を説明するための模式図である。
【図８】比較例１に係る表示装置の外光反射を説明するための模式図である。
【図９】実施の形態に係る表示装置の効果を説明するための模式図である。
【図１０】変形例１に係る表示装置を説明するための模式図である。
【図１１】変形例１に係る表示装置の効果を説明するための模式図である。
【図１２】変形例１に係る表示装置を説明するための断面図である。
【図１３】シミュレーションモデルを示す図である。
【図１４】コントラスト比チャート計算した結果を示す図である。
【図１５】４５度方位におけるコントラスト比の視角特性を示す図である。
【図１６】変形例２に係る表示装置を説明するための模式図である。
【図１７】変形例２に係る表示装置を説明するための断面図である。
【図１８】変形例３に係る広帯域円偏光板を説明するための断面図である。
【図１９】変形例３に係る広帯域円偏光板を説明するための模式図である。
【図２０】変形例３に係る表示装置を説明するための断面図である。
【図２１】変形例４に係る表示装置を説明するための断面図である。
【図２２】変形例４に係る表示装置の効果を説明するための模式図である。
【図２３】変形例４に係る表示装置を説明するための模式図である。
【発明を実施するための形態】
【０００７】
以下に、実施の形態、比較例および実施例について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００８】
＜比較例＞
まず、本開示で先立って検討した技術（以下、比較例１という。）および一般的な技術（以下、比較例２）について図１および図２を用いて説明する。
図１は比較例１に係る表示装置を説明するための断面図である。図２は比較例１に係る表示装置の課題を説明するための概念図である。図３は比較例２に係る表示装置を説明するための断面図である。
比較例１に係る表示装置１００Ｒ１は、表示パネル１ＡＲと、観測者側とは反対側に取り付けられ、表示するための光源であるバックライト２とを備える。図１に示すように、表示パネル１ＡＲは、第１の基板１０と、第２の基板２０と、第１の基板１０と第２の基板２０に挟持される液晶層３０と、第１の直線偏光板４０Ｒと、第２の直線偏光板５０Ｒと、散乱フィルム６０とを備える。第１の直線偏光板４０Ｒは第１の基板１０の観測者側に取り付けられる。第２の直線偏光板５０Ｒは第２の基板２０のバックライト２側に取り付けられる。散乱フィルム６０は第１の直線偏光板４０Ｒの観測者側に取り付けられる。第１の基板１０には色を出すためのカラーフィルタや液晶を配向させるための配向膜などが取り付けられている。第２の基板２０には液晶を駆動するためのＩＴＯ（Indium Tin Oxide）等で構成される電極やＴＦＴ（Thin Film Transistor）、液晶を配向させるための配向膜などが取り付けられている。なお、カラーフィルタは第２の基板２０に取り付けられてもよい。
【０００９】
また、比較例２に係る表示装置１００Ｒ２は、表示パネル１Ｒと、観測者側とは反対側に取り付けられるバックライト２とを備える。図３に示すように、表示パネル１Ｒは、第１の基板１０と、第２の基板２０と、第１の基板１０と第２の基板２０に挟持される液晶層３０と、第１の直線偏光板４０Ｒと、第２の直線偏光板５０Ｒと、を備える。第１の直線偏光板４０Ｒは第１の基板１０の観測者側に取り付けられる。第２の直線偏光板５０Ｒは第２の基板２０のバックライト２側に取り付けられる。すなわち、表示装置１００Ｒ１の表示パネル１ＡＲは表示装置１００Ｒ２の表示パネル１Ｒの第１の偏光板４０Ｒに散乱フィルム６０を取り付けたものである。
【００１０】
表示装置１００Ｒ１に太陽や蛍光灯下おいて外光（太陽や蛍光灯）を入射して観測してみたところ、表示装置１００Ｒ１全体が白く浮いてしまうことが判明した。この原理は、図２に示すように、外光ＯＬが入射するとまず図示していないが散乱フィルム最表面で反射を起こす。散乱フィルム６０を散乱しながら透過した光は表示パネル１Ｒ（表示パネル１ＡＲから散乱フィルム６０を除いたもの）に到達するが、表示パネル１ＲにはＩＴＯなどの屈折率が高い透明電極が用いられているため、ここで外光ＯＬは強く反射する。その反射光ＲＬが散乱しながら散乱フィルム６０を透過して散乱光ＳＬとなるため表示パネル１ＡＲ全体が白く浮いてしまうことがわかった。なお、表示装置１００Ｒ２においても同様な現象は発生しているが、最表面に散乱フィルム６０が無いため、ほぼ正反射しか生じないためパネル全体が白く浮くことはない。
【００１１】
＜実施の形態＞
次に、実施の形態に係る表示装置について図４から図７を用いて説明する。
図４は実施の形態に係る表示装置を説明するための断面図である。図５は実施の形態に係る表示装置の円偏光板を説明するための断面図である。図６は右回転円偏光板を説明するための模式図である。図７は左回転円偏光板を説明するための模式図である。図８は比較例１に係る表示装置の外光反射を説明するための模式図である。図９は実施の形態に係る表示装置の効果を説明するための模式図である。
実施の形態に係る表示装置１００は、表示パネル１Ａと、観測者側とは反対側に取り付けられ、表示するための光源であるバックライト２とを備える。表示パネル１Ａは、第１の基板１０と、第２の基板２０と、第１の基板１０と第２の基板２０に挟持される液晶層３０と、第１の円偏光板４０と、第２の円偏光板５０と、散乱フィルム６０とを備える。第１の円偏光板４０は第１の基板１０の観測者側に取り付けられる。第２の円偏光板５０は第２の基板２０のバックライト２側に取り付けられる。本実施の形態では散乱フィルム６０は第１の円偏光板４０の観測者側に取り付けられているが、バックライト側でも同様な効果が得られる。なお、表示パネル１Ａから散乱フィルム６０を取り除いたものを表示パネル１という。
【００１２】
実施の形態に係る表示装置１００の駆動方法は一般的なＩＰＳ、ＶＡ、ＴＮモードなどが適用できる。例えばＶＡモードであれば、液晶の初期配向を第１の基板１０と第２の基板２０の法線方向に配向させ、第１の基板側に配置する第１の円偏光板４０と第２の基板２０側に配置する第２の円偏光板５０を構成している各々の位相差板の光軸方向を略直交するようにすればよい。なお、略直交とは９０度±５度未満の範囲内であることを意味する。厳密な角度との誤差は±３度未満の範囲内であることが好ましい。ＩＰＳやＴＮモードでも同様に白および黒表示できるように光学軸方向を選択すればよい。実施の形態に係る表示装置１００は液晶の表示モードや円偏光板の光軸方向は特に問わない。第１の基板１０および第２の基板２０が備える支持基板は透明であることが望ましく、ガラスやプラスティックなどを用いることができる。図５に示すように、第１の円偏光板４０は一般的なヨウ素を用いた直線偏光板４１にλ／４の位相差を持つ位相差板（１／４波長板）４２を貼り付けた構造になっている。また、第２の円偏光板５０は一般的なヨウ素を用いた直線偏光板５１に１／４波長板５２を貼り付けた構造になっている。なお、第１の円偏光板４０はバックライト２の光の入射側に１／４波長板４２を出射側（観測者側）に直線偏光板４１を配置する。第２の円偏光板５０はバックライト２の光の入射側に直線偏光板５１を出射側に１／４波長板５２を配置する。図６に示すように、円偏光板を右回転円偏光板にする場合は、直線偏光板ＬＰの光軸に対し１／４波長板ＰＤの光軸を略４５度傾ける。なお、略４５度とは４５度±５度未満の範囲内であることを意味する。厳密な角度との誤差は±３度未満の範囲内であることが好ましい。図７に示すように、円偏光板を左回転円偏光板にする場合は、直線偏光板ＬＰの光軸に対し１／４波長板ＰＤの光軸を略１３５度（−４５度）傾ける。略１３５度（−４５度）とは１３５度（−４５度）±５度未満の範囲内であることであることを意味する。厳密な角度との誤差は±３度未満の範囲内であることがより好ましい。なお、例えばＶＡ方式の場合は、第１の円偏光板４０と第２の円偏光板５０の回転方向を逆にする。例えば、第１の円偏光板４０を右回転円偏光板にする場合は、第２の円偏光板５０は左回転円偏光板にする。上記では偏光板はヨウ素によって構成されているが、同様な効果が得られれば染料系材料でもかまわない。
散乱フィルム６０は、例えば、特許文献１に記載されるポリエステル樹脂、ポリ塩化ビニル樹脂またはアクリル樹脂などからなり、白い顔料などを混入して、表面を粗面にした透明の樹脂からなっている。また媒体と屈折率が異なる粒子を媒体内に分散させてもよい。バックライト２はＬＥＤや導光板、プリズムシートなどによって構成された一般的なものであればよく、特に限定されない。
【００１３】
比較例１に係る表示装置１００Ｒ１のように通常の偏光板（直線偏光板）の場合、図８に示すように、入射光ＩＬ（外光ＯＬ）が第１の直線偏光板４０Ｒを透過した透過光ＴＬが反射板１５で反射し、反射光ＲＬは第１の直線偏光板４０Ｒを透過して透過光ＲＴＬとなる。しかし、図９に示すように、表示装置１００のように円偏光板を用いると、入射光ＩＬ（外光ＯＬ）が第１の円偏光板４０を透過した透過光ＴＬが反射板１５で反射すると、反射光ＲＬは入射光ＩＬ（透過光ＴＬ）と反対の方向に回転する（例えば、右回転が左回転になる）ので、反射光ＲＬは第１の円偏光板４０を透過することができず、外光反射を防止することができる。
【００１４】
＜変形例１＞
実施の形態に係る表示装置の第一の変形例（変形例１）について図１０から図１２を用いて説明する。
図１０は変形例１に係る表示装置を説明するための模式図である。図１１は変形例１に係る表示装置の効果を説明するための模式図である。図１２は変形例１に係る表示装置を説明するための断面図である。
一般的な液晶表示装置は正面を透過する光と斜めに透過する光では液晶の光の変調量が異なるため見栄えが変わる。これがいわゆる視野角特性である。バックライトからの出射光が有る程度広がりを持ったバックライト２を用いると、例えば図１０に示すように表示パネル１は黒表示をしていたとしても、基板法線方向に出射される正面の光ＢＬ１は十分に表示パネル１により遮光されるが、視野角特性から斜め方向の光ＢＬ２は表示パネル１を透過してしまうことがある。この表示パネル１の漏れ光ＬＬが散乱フィルム６０により正面方向にも拡散して発生する散乱光ＳＬのため、コントラスト比が低くなることがある。そこで、漏れ光ＬＬを少なくするために、図１１に示すように、バックライトから出射される光ＢＬは、できるだけコリメート性(集光性)が高いことが望ましい。すなわち、変形例１に係る表示装置１００Ａでは、図１２に示すように、集光バックライト２Ａを用い、表示パネル１Ａは実施の形態の表示装置１００と同じものを用いている。バックライト２Ａは、例えばバックライト２と同様にＬＥＤや導光板、プリズムシートなどによって構成されたものであってもよく、よりコリメート性が高くなるようにプリズムシートが構成されている。バックライト２Ａは他の方法で構成して集光バックライトにしてもよい。
【００１５】
変形例１に係る表示装置は、実施の形態に係る表示装置において、集光バックライトを用いるので、よりコントラスト比を高くすることができる。
【００１６】
＜変形例２＞
実施の形態に係る表示装置の第二の変形例（変形例２）について図１３から図１７を用いて説明する。
図１３はシミュレーションモデルを示す図である。図１４はコントラスト比チャート計算した結果を示す図である。図１５は４５度方位におけるコントラスト比の視角特性を示す図である。図１６は変形例２に係る表示装置を説明するための模式図である。図１７は変形例２に係る表示装置を説明するための断面図である。
円偏光板は波長と視野角依存性を持っている。まず視野角特性について考えてみる。図１３に示すように、直線偏光板Ｓ４１と１／４波長板Ｓ４２と反射板Ｓ４５からなるシミュレーションモデルを立てた。１／４波長板Ｓ４２は１３７．５ｎｍの位相差とし、直線偏光板Ｓ４１に対して光軸を０度もしくは４５度とした。これは５５０ｎｍの波長の光に対して１／４波長となるように設計した。図１４にコントラスト比チャート計算した結果を示した。コントラスト比は１／４波長板Ｓ４２の光軸を０度としたときが白、光軸を４５度としたときを黒としてその比によって求めた。直線偏光板Ｓ４１の上部から光を入射し、１／４波長板Ｓ４２を透過して、反射板Ｓ４５で反射して、１／４波長板Ｓ４２を透過して、直線偏光板Ｓ４１の上部に出射する。直線偏光板Ｓ４１への上部からの光の入射角度（方位角度および極角度）を種々変えて計算している。
【００１７】
図１４に示すコントラスト比チャートの最も外側の曲線Ａはコントラスト比が１０：１になる角度である。曲線Ｂはコントラスト比が５０：１になる角度である。曲線Ｃはコントラスト比が１００：１になる角度である。曲線Ｄはコントラスト比が１０００：１になる角度である。図１４に示される０．０（ｄｅｇ）、９０．０（ｄｅｇ）、１８０．０（ｄｅｇ）、２７０．０（ｄｅｇ）は円の中心からの方位角度を表している。同心円は極角度を表しており、２０．０（ｄｅｇ）間隔で最も内側の円は２０．０（ｄｅｇ）で最も外側の円は８０．０（ｄｅｇ）である。図１５は図１４の特性の方位角が４５度（Ｅ−Ｅ線）における断面である。正面を基準とした観測角度で示しているが、正面を基準とした光の入射角度に対応する。図１５からわかるように６０度以上の光が入射するとコントラスト比は１０：１以下になる。コントラスト比１０：１以下では表示品位が低下する。また８０度以上の光が入射するとコントラスト比は５：１以下になるため、著しく表示品位が低下する。つまり、コントラスト比の低い光が正面方向に散乱すると、正面方向のコントラスト比が低下するので、入射した６０度以上の外光が散乱フィルムで散乱されると明環境においてコントラスト比の低下になる。さらに８０度以上の外光が散乱フィルムで散乱されると明環境においてコントラスト比は著しく低下する。なお、上述した外光の反射と同様に、バックライトの光に対しても入射角度が深くなると暗環境におけるコントラスト比が低下する。直線偏光板Ｓ４１への上部からの光の入射角度をバックライト側からの光の入射角度に置き換えればよい。入射した６０度以上のバックライト光が散乱フィルムで散乱されると暗環境においてコントラスト比の低下になる。さらに８０度以上のバックライト光が散乱フィルムで散乱されると暗環境においてコントラスト比は著しく低下する。
【００１８】
よって円偏光板の特性を最大限活かすためには図１６に示すように、入射角度が深い光ＢＬ３は散乱せずに透過させ、入射角度が浅い光ＢＬ１、ＢＬ２のみを散乱させることが望ましい。したがって、変形例２の散乱フィルム６０Ｂは８０度以上の光を散乱させない、さらに望ましくは６０度以上の光を散乱させない特性を持つことを特徴としている。このような散乱フィルム６０Ｂは例えばホログラムや構造体による散乱フィルムを用いることで達成することができる。構造体による散乱フィルムは例えば参考文献１（この内容は参照によって本明細書に取り込まれる。）に示されているようなフィルムでも良い。散乱フィルムは方位角に対して異方性を有していてもよく、例えばある一方向のみ上記の条件を満たしても効果は得られる。また異方性拡散フィルムと呼ばれるような、散乱強度に関しても方位角に対して異方性を有していても効果得られる。
参考文献１：K. Kusama, et al, “Light-Diffusing Films Using Two-step UV Irradiation for Various Displays”, SID 2013 Digest, P-49, (2013), pp1177-1180
ここでわかりやすいように、散乱しながら透過することを散乱透過と呼び、散乱せずに透過することを直線透過と呼ぶ。変形例２に係る表示装置は、実施の形態に係る表示装置において、散乱フィルムは入射角８０度以上の光は直線透過し、８０度未満の光のみが散乱透過し、望ましくは入射角６０度以上の光は直線透過し、６０度未満の光が散乱透過させることによって、明環境、暗環境ともにコントラスト比を高くすることできる。
変形例２に係る表示装置１００Ｂでは、図１７に示すように、散乱フィルム６０Ｂを用い、表示パネル１およびバックライト２は実施の形態に係る表示装置１００と同じものを用いている。すなわち、変形例２に係る表示パネル１ＡＢは表示パネル１に散乱フィルム６０Ｂを取り付けたものである。なお、バックライト２に代えて変形例１に係る表示装置１００Ｂのバックライト２Ａを用いてもよい。
集光バックライト２Ａよりもコリメート性が悪いバックライト２であっても、変形例２の散乱フィルム６０Ｂを用いることにより、視野角特性を向上することができる。また、集光バックライト２Ａと共に、変形例２の散乱フィルム６０Ｂを用いることにより、さらに視野角特性を向上することができる。
【００１９】
＜変形例３＞
実施の形態に係る表示装置の第三の変形例（変形例３）について図１８および図２０を用いて説明する。
図１８は変形例３に係る広帯域円偏光板を説明するための断面図である。図１９は変形例３に係る広帯域円偏光板を説明するための模式図である。図２０は変形例３に係る表示装置を説明するための断面図である。
上述したように円偏光板は直線偏光板と１／４波長板で構成されている。１／４波長板は例えば視感度が最も高い５５０ｎｍの光に対して設計されることが一般的である。このように設計すると、５５０ｎｍ以外の光は完全な円偏光にならない（楕円偏光になる）ために、５５０ｎｍ以外の外光が入射されると反射光は円偏光板では吸収されず反射光として観測されてしまう。そこで、この課題を解決するために、広帯域円偏光板を用いると良い。図１８に示すように、第１の円偏光板４０Ｃは、例えば、直線偏光板４１と１／２波長板４３と１／４波長板４２とを貼り付けたもので構成される。第２の円偏光板５０Ｃは、例えば、直線偏光板５１と１／２波長板５３と１／４波長板５２とを貼り付けたもので構成される。なお、第１の円偏光板４０Ｃはバックライト２の光の入射側に１／４波長板４２と１／２波板４３を出射側（観測者側）に直線偏光板４１を配置する。第２の円偏光板５０Ｃはバックライト２の光の入射側に直線偏光板５１を出射側に１／２波長板５３と１／４波長板５２を配置する。例えばＶＡモードであれば、図１９に示すように、直線偏光板４１の光軸は０度、１／２波長板４３の光軸は略−１０５度、１／４波長板４２の光軸は略１５度、１／４波長板５２の光軸は略−７５度、１／２波長板５３の光軸は略−１５度、直線偏光板５１の光軸は略−９０度とする。なお、略とは厳密な角度±５度未満の範囲内であることを意味する。厳密な角度との誤差は±３度未満の範囲内であることが好ましい。波長広帯域おいて円偏光が得られればどのような形状のおいても効果が得られる。また屈折率の波長依存性が通常と逆(逆分散フィルムと呼ばれる)を用いても同様な効果が得られる。
【００２０】
変形例３に係る表示装置は、実施の形態に係る表示装置において、円偏光板に広帯域円偏光板を用いることによって、明環境および暗環境でさらにコントラスト比を高くすることができる。
変形例３に係る表示装置１００Ｃでは、図２０に示すように、第１の広帯域円偏光板４０Ｃ、第２の広帯域円偏光板５０Ｃを用い、その他は実施の形態の表示装置１００と同じものを用いている。すなわち、変形例３に係る表示パネル１Ｃは、表示パネル１の第１の円偏光板４０および第２の円偏光板５０に代えて、それぞれ第１の広帯域円偏光板４０Ｃおよび第２の広帯域円偏光板５０Ｃを取り付けたものである。また、変形例３に係る表示パネル１ＡＣは表示パネル１Ｃに散乱フィルム６０を取り付けたものである。なお、バックライト２に代えて変形例１に係る表示装置１００Ａのバックライト２Ａを、散乱フィルム６０に代えて変形例２に係る表示装置１００Ｂの散乱フィルム６０Ｂを用いてもよい。
【００２１】
＜変形例４＞
実施の形態に係る表示装置の第四の変形例（変形例４）について図２１から図２３を用いて説明する。
図２１は変形例４に係る表示装置を説明するための断面図である。図２２は変形例４に係る表示装置の効果を説明するための模式図である。図２３は変形例４に係る表示装置を説明するための模式図である。変形例４に係る表示装置１００Ｄは、実施の形態に係る表示装置において、入射側の円偏光板の視野角特性を改善することによって、明環境および暗環境でさらにコントラスト比を高くすることができる。
表示装置１００Ｄでは、図２１に示すように、広視野角円偏光板を用い、その他は実施の形態の表示装置１００と同じものを用いている。すなわち、変形例４に係る表示パネル１Ｄは、表示パネル１の第１の円偏光板４０に代えて、第１の広視野角円偏光板４０Ｄを取り付けたものである。また、変形例４に係る表示パネル１ＡＤは表示パネル１Ｄに散乱フィルム６０を取り付けたものである。
深い角度から入射する外光に対しても広視野角円偏光板４０Ｄを用いているため、図２２に示すように、反射光が散乱することはない。もちろん、深い角度の光が散乱しない散乱フィルム６０Ｂを用いても同様な効果が得られる。広視野角円偏光板４０Ｄは２軸のλ／４板を用いれば良く、具体的にはλ／４板のＮｚ係数を０．５にすることが望ましい。
また、バックライト側の第２の円偏光板は、コリメート性を有するバックライト２Ａを使用する場合は、図２３に示すように、パネルに対して垂直に入射するため広視野角円偏光板を使用する必要はないが、第２の広視野角円偏光板５０Ｄを使用したとしても同様な効果が得られる。
【符号の説明】
【００２２】
１、１Ｃ、１Ｄ、１Ｒ・・・表示パネル
２、２Ａ・・・バックライト
１０・・・第１の基板
１５・・・反射板
２０・・・第２の基板
３０・・・液晶層
４０・・・第１の円偏光板
４０Ｃ・・・第１の広帯域円偏光板
４０Ｄ・・・第１の広視野角円偏光板
４０Ｒ・・・第１の直線偏光板
４１・・・直線偏光板
４２・・・１／４波長板
４３・・・１／２波長板
５０・・・第２の円偏光板
５０Ｃ・・・第２の広帯域円偏光板
５０Ｄ・・・第２の広視野角円偏光板
５０Ｒ・・・第２の直線偏光板
５１・・・直線偏光板
５２・・・１／４波長板
５３・・・１／２波長板
６０、６０Ｂ・・・散乱フィルム
１００、１００Ａ、１００Ｂ、１００Ｃ、１００Ｄ・・・表示装置
【図１】
2016062017.tif 000003
【図２】
2016062017.tif 000004
【図３】
2016062017.tif 000005
【図４】
2016062017.tif 000006
【図５】
2016062017.tif 000007
【図６】
2016062017.tif 000008
【図７】
2016062017.tif 000009
【図８】
2016062017.tif 000010
【図９】
2016062017.tif 000011
【図１０】
2016062017.tif 000012
【図１１】
2016062017.tif 000013
【図１２】
2016062017.tif 000014
【図１３】
2016062017.tif 000015
【図１４】
2016062017.tif 000016
【図１５】
2016062017.tif 000017
【図１６】
2016062017.tif 000018
【図１７】
2016062017.tif 000019
【図１８】
2016062017.tif 000020
【図１９】
2016062017.tif 000021
【図２０】
2016062017.tif 000022
【図２１】
2016062017.tif 000023
【図２２】
2016062017.tif 000024
【図２３】
2016062017.tif 000025